(57)【要約】【課題】少ない水量で所定の洗浄性能を維持する。【解決手段】内部に洗浄槽２を有する本体１と、前記洗浄槽内に設けられるとともに洗浄水を被洗浄物６に噴射する洗浄手段１３と、前記洗浄手段と前記洗浄槽の内底部に設けられる前記貯水部９とを連結する循環経路１５と、前記循環経路内に設けられる洗浄ポンプ１２と、を備え、前記貯水部に向かって下方に傾斜する第１の傾斜部２９及び第２の傾斜部３０が前記洗浄槽の内底部に形成され、前記洗浄ポンプが駆動している場合、第１の傾斜部から前記貯水部内に流れる洗浄水は、前記第２の傾斜部からの洗浄水と略反対の回転方向の水流を前記貯水部内に発生させる構成としたことによりお互いの水流が衝突して貯水部９内で渦を発生させないようにするため少ない水量でも所定の洗浄性能を保つことができる食器洗い機を提供できる。【選択図】図３
2011036527.tif 000002
【特許請求の範囲】
【請求項１】
内部に洗浄槽を有する本体と、
前記洗浄槽内に設けられるとともに洗浄水を被洗浄物に噴射する洗浄手段と、
前記洗浄手段と前記洗浄槽の内底部に設けられる貯水部とを連結する循環経路と、
前記循環経路内に設けられる洗浄ポンプと、
を備え、
前記貯水部に向かって下方に傾斜する第１及び第２の傾斜部が前記洗浄槽の内底部に形成され、
前記洗浄ポンプが駆動している場合、第１の傾斜部から前記貯水部内に流れる洗浄水は、前記第２の傾斜部からの洗浄水と略反対の回転方向の水流を前記貯水部内に発生させる構成とした食器洗い機。
【請求項２】
前記第１及び第２の傾斜部から前記貯水部内に流れる洗浄水はそれぞれ、時計方向及び反時計方向に前記貯水部内に流れ込む請求項１記載の食器洗い機。
【請求項３】
前記第２の傾斜部は、前記貯水部との接点近傍を最下点とする螺旋状の傾斜面で形成される請求項１又は２に記載の食器洗い機。
【請求項４】
前記第１の傾斜部上方に洗浄水を加熱する加熱手段を設け、前記第２の傾斜部は、前記第１の傾斜部以上の高さに形成される請求項１〜３のいずれか１項に記載の食器洗い機。
【請求項５】
前記洗浄手段は前記洗浄槽の底面中央部を中心に回転する洗浄ノズルを備え、
前記第２の傾斜部は前記洗浄ノズルの略回転軌跡に沿って形成され、前記第２の傾斜部の周縁部外側に前記第２の傾斜部に向かって下方に傾斜する第３の傾斜部を設けた請求項１〜４のいずれか１項に記載の食器洗い機。
【請求項６】
前記第３の傾斜部は、前記第２の傾斜部の傾斜より大きい傾斜角度で形成される請求項１〜５のいずれか１項に記載の食器洗い機。
【請求項７】
前記第１の傾斜部の前記貯水部近傍に前記洗浄槽の内側に傾斜する第４の傾斜部を設けた請求項１〜６のいずれか１項に記載の食器洗い機。
【請求項８】
前記第１の傾斜部には第１のリブが、前記第２の傾斜部には第２のリブがそれぞれ形成され、前記洗浄ポンプが駆動している場合、前記第１のリブにより整流されて前記貯水部内に流れる洗浄水が、前記第２のリブで整流されて前記貯水部内に流れる洗浄水と略反対の回転方向の水流を発生させる構成とした請求項１〜７のいずれか１項に記載の食器洗い機。
【請求項９】
前記洗浄手段は、前記洗浄槽の底面中央部を中心に回転する洗浄ノズルを備え、第２の傾斜部は、排水溝方向に５度以上８度以下に傾斜している請求項１〜８のいずれか１項に記載の食器洗い機。
【発明の詳細な説明】
【技術分野】
【０００１】
本発明は、食器の洗浄を行う食器洗い機に関するものである。
【背景技術】
【０００２】
従来、食器の洗浄を行う一般的な引き出し式の食器洗い機は、図１３の洗浄槽の平面図で示すように、洗浄槽内の底面コーナー付近に貯水部１０１を、貯水部１０１に隣接して貯水部方向に傾斜させてある第１の傾斜部１０２を設け、ヒータ１０３が第１の傾斜部の上部に設けられている。また、第１の傾斜部１０２より上部にヒータ１０３に向け傾斜させた第２の傾斜部１０４を設けてある。傾斜方向（水流の方向）は矢印で表してある。第２の傾斜部１０４に落下した洗浄水の大半の洗浄水が第１の傾斜部１０２に流れ、洗浄水は第１の傾斜部１０２から貯水部１０１と流れ込む。この際、１つの洗浄水流の流量が大きいため、少ない洗浄水で洗浄ポンプを運転した場合に図１４に示すように貯水部１０１で渦１０１ａが発生してしまい、洗浄ポンプは空気を吸い込みながら、つまり、エア噛みを起こしながら洗浄水を吸い込んでしまう。
【０００３】
また、図１５に示すように、洗浄ポンプ（図示せず）への空気の混入を防ぐ食器洗い機としては貯水部１０５の洗浄水取り込み口１０６にカバー１０７を取り付けその先端に板部１０８を設けることで洗浄槽水面の渦の発生を抑え、洗浄ポンプへの空気の混入（エアがみ）を起こさないようにして、ポンプ性能の低下を防ぎ、所定の洗浄性能を保ってある（例えば特許文献１）。
【０００４】
また、図１６に示すように洗浄槽底部１０９に、上側洗浄槽底部１１０と、上側洗浄槽底部より下方に位置しヒータ１１１及び残菜フィルタ１１２を備えた下側洗浄槽底部１１３より構成され、上側洗浄槽底部１１０は下側洗浄槽底部１１３に向かって下るように傾斜させ、上側洗浄槽底部１１０の上面には落下した洗浄水を下側洗浄槽底部１１３側へ導くように下側洗浄槽底部側へ向かって延びるリブ１１４を設けたものも考えられている（例えば特許文献２）。
【先行技術文献】
【特許文献】
【０００５】
【特許文献１】特開平１１−５６７３７号公報
【特許文献２】特許第３７３２２０１号公報
【発明の概要】
【発明が解決しようとする課題】
【０００６】
しかしながら、上記特許文献１に記載のものでは、少ない洗浄水で渦の発生を抑えて洗浄ポンプを駆動させることができるが、板部が存在するために取り込み口に流れる洗浄水が大きな圧力損失を受けるため、洗浄ノズルから吐出される洗浄水の圧力が減少し、所定の洗浄性能を得ることが難しくなる。
【０００７】
また、上記特許文献２に記載のものでは、洗浄水の戻りを早くし、少ない洗浄水で所定の洗浄性能を得ることが出来るが、洗浄水を減らしていくと貯水部における渦が発生してしまう。渦が発生し、洗浄ポンプがエア噛みを起こすと、それだけ吐出する洗浄水の水圧が低下してしまい、所定の洗浄性能を得ることが困難になる。
【０００８】
本発明は、上記従来の課題を解決するもので、より少ない水量でも排水溝内で渦を発生させず、所定の洗浄性能を保つことを目的としている。
【課題を解決するための手段】
【０００９】
内部に洗浄槽を有する本体と、前記洗浄槽内に設けられるとともに洗浄水を被洗浄物に噴射する洗浄手段と、前記洗浄手段と前記洗浄槽の内底部に設けられる貯水部とを連結する循環経路と、前記循環経路内に設けられる洗浄ポンプと、を備え、前記貯水部に向かって下方に傾斜する第１及び第２の傾斜部が前記洗浄槽の内底部に形成され、前記洗浄ポンプが駆動している場合、第１の傾斜部から前記貯水部内に流れる洗浄水は、前記第２の傾斜部からの洗浄水と略反対の回転方向の水流を前記貯水部内に発生させる構成としたものである。
【００１０】
これにより、少ない洗浄水でも貯水部に素早く水を戻すと共に、第１の傾斜部から貯水部に流れる洗浄水とこの洗浄水に対し逆向きの水流を起こす第２の傾斜部から流れる洗浄水とを衝突させることで少ない洗浄水量でも貯水部のおける渦の発生を妨げることができるようになり、洗浄水を削減しても所定の洗浄性能を保つことができる。
【発明の効果】
【００１１】
本発明の食器洗い機は、少ない洗浄水量でも、洗浄水の圧力損失を抑制し洗浄槽内の貯水部での渦の発生を抑制して、所定の洗浄性能を保つことができる。
【図面の簡単な説明】
【００１２】
【図１】本発明の実施の形態１の食器洗い機の側面断面図
【図２】同食器洗い機の正面断面図
【図３】同食器洗い機の洗浄槽底部を上方から見た平面図
【図４】同食器洗い機の洗浄槽のＸ−Ｘ´断面図
【図５】同食器洗い機の洗浄槽のＹ−Ｙ´断面図
【図６】同食器洗い機の洗浄槽の流れ方向を表す平面図
【図７】同食器洗い機の貯水部の平面図
【図８】同食器洗い機の貯水部近傍の断面図
【図９】同食器洗い機の別の例の平面図
【図１０】本発明の実施の形態２の食器洗い機の洗浄槽底部の平面図
【図１１】同食器洗い機の貯水部近傍を上方から見た拡大平面図
【図１２】同食器洗い機の別の例の貯水部近傍の拡大平面図
【図１３】従来の食器洗い機の平面図
【図１４】従来の食器洗い機の貯水部近傍の断面図
【図１５】従来の食器洗い機の他の例の側面図
【図１６】従来の食器洗い機の他の例の斜視図
【発明を実施するための形態】
【００１３】
第１の発明は、内部に洗浄槽を有する本体と、前記洗浄槽内に設けられるとともに洗浄水を被洗浄物に噴射する洗浄手段と、前記洗浄手段と前記洗浄槽の内底部に設けられる貯水部とを連結する循環経路と、前記循環経路内に設けられる洗浄ポンプと、を備え、前記貯水部に向かって下方に傾斜する第１及び第２の傾斜部が前記洗浄槽の内底部に形成され、前記洗浄ポンプが駆動している場合、第１の傾斜部から前記貯水部内に流れる洗浄水は、前記第２の傾斜部からの洗浄水と略反対の回転方向の水流を前記貯水部内に発生させる構成とする食器洗い機である。この構成により、少ない洗浄水でも貯水部に素早く水を戻すと共に、第１の傾斜部から貯水部に流れる洗浄水とこの洗浄水に対し逆向きの渦を成す第２の傾斜部から流れる洗浄水とを衝突させることで、少ない洗浄水量でも貯水部における渦の発生を妨げることができるようになり、洗浄水を削減しても所定の洗浄性能を保つことができる。また、洗浄水の圧力損失の発生も抑制することができる。
【００１４】
第２の発明は、特に、第１の発明において、第１及び第２の傾斜部から貯水部内に流れる洗浄水はそれぞれ、時計方向及び反時計方向に貯水部内に流れ込む食器洗い機である。この構成により、より効率的に渦の発生を抑制することができる。
【００１５】
第３の発明は、特に、第１又は第２の発明において、第２の傾斜部は、貯水部との接点近傍を最下点とする螺旋状の傾斜面で形成される食器洗い機である。この構成により、第２の傾斜部に落下した洗浄水は、螺旋状の傾斜面に沿って素早く貯水部方向に流れるため、洗浄水の戻しが早くなり、より少ない洗浄水量で所定の洗浄性能を保つことが出来る。
【００１６】
第４の発明は、特に、第１〜第３の発明のいずれかの発明において、第１の傾斜部上方に洗浄水を加熱する加熱手段を設け、第２の傾斜部は、第１の傾斜部以上の高さに形成される食器洗い機である。この構成により、少ない洗浄水量でも加熱手段近傍の水位上昇させることで洗浄水の加熱効率を向上させることが出来る。
【００１７】
第５の発明は、特に、第１〜第４の発明のいずれかの発明において、洗浄手段は洗浄槽の底面中央部を中心に回転する洗浄ノズルを備え、前記第２の傾斜部は洗浄ノズルの略回転軌跡に沿って形成され、第２の傾斜部の周縁部外側に第２の傾斜部に向かって下方に傾斜する第３の傾斜部を設けた食器洗い機である。この構成により、洗浄ノズルから噴射され洗浄槽側面などの洗浄ノズルの回転軌跡外に衝突した洗浄水が第３の傾斜部によって最短距離で素早く第２の傾斜部に回収され第２の水流を構成することで洗浄水が貯留部に戻る速度を早め、少ない洗浄水量で所定の洗浄性能を保つことが出来る。
【００１８】
第６の発明は、特に、第１〜第５のいずれかの発明において、第３の傾斜部を第２の傾斜部の傾斜より大きい傾斜角度で形成される食器洗い機である。この構成により、洗浄ノズルの回転軌跡外に飛散した洗浄水の戻りをより早くするとともに、洗浄槽内部の断面積（水平方向断面積）を削減することで、同量の洗浄水を入れた場合の洗浄水位を高くし、より少ない洗浄水量で所定の洗浄性能を保つことが出来る。
【００１９】
第７の発明は、特に、第１〜第６のいずれかの発明の発明において、第１の傾斜部の貯水部近傍に洗浄槽の内側に傾斜する第４の傾斜部を設けた食器洗い機である。この構成により、第１の水流の方向が第４の傾斜部によって整流されることにより第２の水流との衝突が起こりやすくなり、より少ない洗浄水量で所定の洗浄性能を保つことが出来る。
【００２０】
第８の発明は、特に、第１〜第７の発明のいずれかの発明において、第１の傾斜部には第１のリブが、第２の傾斜部には第２のリブがそれぞれ形成され、洗浄ポンプが駆動している場合、第１のリブにより整流されて貯水部内に流れる洗浄水が、第２のリブで整流されて貯水部内に流れる洗浄水と略反対の回転方向の水流を発生させる構成とした食器洗い機である。この構成により、第１の水流と第２の水流とがより衝突しやすくなり、少ない洗浄水でも貯水部に素早く水を戻すと共に、貯水部における渦の発生を妨げることができるようになり、洗浄水を削減しても所定の洗浄性能を保つことができる。
【００２１】
第９の発明は、特に、第１〜第８の発明のいずれかの発明において、洗浄手段は、洗浄槽の底面中央部を中心に回転する洗浄ノズルを備え、第２の傾斜部は、排水溝方向に５度以上８度以下に傾斜している食器洗い機である。この構成により、洗浄ノズルがタンク底面に衝突せずに、最大の傾斜角度を持つことができるため、洗浄水の戻しが早くなり、より少ない洗浄水量で所定の洗浄性能を保つことが出来る。
【００２２】
以下、本発明の実施の形態について、図面を参照しながら説明する。なお、本実施の形態によって本発明が限定されるものではない。
【００２３】
（実施の形態１）
図１および図２に示すように、前方に開口部を有する食器洗浄機本体１（固定側箱状体）において、その内側に上方に開口する洗浄槽２（可動側箱状体）が収納されている。また、洗浄槽２は、食器洗浄機本体１の両内側面に取り付けられた両固定レール３と、両固定レール３にそれぞれ滑動自在に装着された両可動レール４とから構成されるスライドレール５により前後方向に摺動可能に構成されており、食器洗浄機本体１の前方開口部から引き出すことができる。
【００２４】
スライドレール５は、図１に示すように、洗浄槽２の外壁の略下部に配置されるものである。
【００２５】
洗浄槽２は、樹脂成型によって形成され、水平方向の断面積が上方にいくに従い大きくなるテーパー状に形成されている。
【００２６】
また、スライドレール５には、洗浄槽２や洗浄槽２内に配置される食器６類などの被洗浄物、洗浄行程で供給される洗浄水等の荷重が加わるので、鉄やＳＵＳ等の金属部品で形成されるものである。ここで、洗浄水とは、被洗浄物の洗浄やすすぎに用いられる液体を総称して言う。
【００２７】
食器洗浄機本体１は、キッチンキャビネットＡ内にビルトインするのが基本的な設置形態であるが、食器洗浄機本体１を設置場所の台上に固定して使用することも可能である。
【００２８】
洗浄槽２は、内部に食器６を配置する食器カゴ７が収納される。また、洗浄槽２の内底部、具体的には洗浄槽２の下面内壁には、洗浄水を加熱する加熱手段８、例えばシーズヒータが設けられている。
【００２９】
洗浄槽２の内底部に給水された洗浄水を溜めるための貯水部９が設けられている。
【００３０】
貯水部９内の上部には、パンチングなどにより開口部の設けられた金属製の残菜フィルタ１０が設置されてある。残菜フィルタ１０は、食器６を洗浄する洗浄行程および食器６をすすぐすすぎ行程で、残菜を捕集する。ここで、残菜とは食器６に汚れとして付着していた食品などの固形物をいう。
【００３１】
貯水部９上方の食器カゴ７の一部は回動式になっており、洗浄工程終了後に食器カゴ７全体を取り出すことなく残菜フィルタ１０を取り出し、残さいを取り除くことができる。残菜フィルタ１０取り出し時に食器カゴ７から取り出す食器数を少なくして、残菜フィルタ１０取り出しを容易にするために、貯水部９はコーナー部に設けられてある。
【００３２】
さらに、残菜フィルタの下方に樹脂製の排水フィルタ１１が設置されている。排水フィルタ１１は、大きい残菜が洗浄ポンプ１２へ供給されることを防ぎ、食器などから貯水部に勢いよく滴下する洗浄水が発生させる泡が洗浄ポンプ１２へ吸込まれることを防ぐ。
【００３３】
洗浄手段としての洗浄ノズル１３は、洗浄槽底面１４の略中央部に回転自在に設けられ、洗浄水の噴射の反力により回転する。
【００３４】
貯水部９と洗浄ノズル１３とは循環経路１５によって接続され、循環経路１５の途中には洗浄ポンプ１２が設けられている。なお、循環経路１５は、洗浄ポンプ１２に洗浄水を供給するゴムなどから構成される吸込み経路１６と洗浄ポンプ１２から洗浄ノズル１３に洗浄水を供給するゴムなどから構成される吐出経路１７から構成され、貯水部９と吸込み経路１７とが吸込み口１８で接続されてある。
【００３５】
洗浄槽２の下面外壁に配置された洗浄ポンプ１２により洗浄水が加圧され、洗浄槽２内に設けられた洗浄ノズル１３に設けられる複数の噴射孔１９より噴射されるものである。
【００３６】
また、洗浄槽２内に、給水弁２０から洗浄槽２に給水され、排水手段２１により排水される。
【００３７】
送風手段２２は、洗浄槽２の外壁に設けられており、乾燥行程で動作して、食器洗浄機本体１外の空気を洗浄槽２内に供給し、排気口２３より排気することで、洗浄槽２内の食器６を乾燥させる。送風手段２２は、例えば送風ファンがあげられる。
【００３８】
温度検知手段２４は、洗浄槽２の下面外壁に配置され、洗浄槽２内の洗浄水、空気および加熱手段８の温度を、洗浄槽２の下面を介して間接的に検知するものである。
【００３９】
制御装置２６は、給水弁２０が洗浄槽２内に洗浄水を供給するのを制御したり、温度検知手段２４の出力に基づいて加熱手段８を制御したりする。また、洗浄手段１３、給水弁２０、排水手段１３、送風手段２２等を制御して、洗浄、すすぎ、乾燥の一連の行程を逐次制御するよう構成している。
【００４０】
中フタ２７は、図１および図２に示すように、周囲にパッキン２８が設けられていて、リンク機構（図示せず）を介し食器洗浄機本体１の上部に配置されている。中フタ２７は、洗浄槽２が食器洗浄機本体１の所定の位置に収納される動きと連動して前方下方に移動し、パッキン２８と洗浄槽２の上部２Ａ周囲とが接触して、洗浄槽２の上方の開口部を水密に塞ぐものである。そして、洗浄槽２と中フタ２７との接触部に洗浄水が供給されてもパッキン２８により洗浄水が洗浄槽２外へ出て行くのを防止することができる。
【００４１】
上記構成において動作を説明すると、利用者が食器洗浄機本体１から洗浄槽２を引き出し、食器カゴ７に食器６などの被洗浄物を配置し、洗浄槽２に収納する。そして、洗剤を入れた後、洗浄槽２を食器洗浄機本体１内に収納する。そして、運転を開始すると、排水手段２１が動作して、前回の運転等で洗浄槽２内に残っている洗浄水（「残水」という）を食器洗浄機本体１外へ排出する。
【００４２】
次に、制御装置２６が給水弁２０を動作させて、水位検知手段（図示せず）が水位を検知するまで、所定量の洗浄水を洗浄槽２に供給する。
【００４３】
所定量の洗浄水が供給されると、制御装置２６が洗浄ポンプ１２を駆動させて洗浄水を加圧し、洗剤を溶解させた洗浄水を洗浄ノズル１３に設けた噴射孔１９から噴射させる。こうして、食器６などを洗浄する洗浄行程が行われる。この洗浄行程では洗浄槽２内に設けた加熱手段８に通電して、洗浄水を洗浄所定温度（例えば６０℃）まで加熱し、油汚れなどの落ち難い汚れも洗浄しやすくする。
【００４４】
洗浄行程が所定時間行われると、排水手段２１が食器６から洗い落とされた汚れを含む洗浄水を食器洗浄機本体１外へ排出する。そして、給水弁２０の駆動により水道管から洗浄槽２内に新たに給水が行われ、洗浄ポンプを駆動させて、洗浄ノズル１３に設けた噴射孔１９から再び洗浄水を噴射し、洗剤や残菜等で汚れた食器６をすすぐ行程を実行する。
【００４５】
このすすぎ行程が終わると、洗浄水を再び食器洗浄機本体１外へ排出する。このすすぎ行程は連続して数回繰り返される。洗浄およびすすぎ行程では、残菜は洗浄槽２に設けた残菜フィルタ１０内に捕集される。
【００４６】
所定回数のすすぎ行程が終了すると乾燥行程が開始する。この行程では、送風手段２２が動作して食器洗浄機本体１外の空気が洗浄槽２内へ送り込まれる。送り込まれた空気は加熱手段８により加熱された後、食器６を乾燥させて、洗浄槽２の前面に形成される排気口２３より食器洗浄機本体１外へ排出される。乾燥行程終了後、運転を終了する。
【００４７】
なお、複数回行われるすすぎ行程のうち、少なくとも１回は洗浄水を加熱手段８により加熱しながら食器３をすすぐ加熱すすぎ行程であってもよい（このとき洗浄水は例えば約７０℃まで加熱されるものであってもよい）。
【００４８】
このように構成された本実施の形態において、洗浄槽２の底部について詳述する。図３の洗浄槽底面１４の平面図、図４および図５の洗浄槽底面１４の断面図に示すように、洗浄槽底面１４は、洗浄槽底面１４の右奥のコーナー部に貯水部９が設けられており、最も高さが低くなるように形成されている。
【００４９】
また、洗浄槽底面１４には、第１、第２及び第３の傾斜部２９、３０、３１が形成されている。
【００５０】
第１の傾斜部２９は、加熱手段８を上面に備え、洗浄槽底面１４の手前右側に、洗浄槽２の奥行き方向を長手方向とする略矩形に形成されている。また、第１の傾斜部２９は貯水部９に向かって１度から２度の角度で傾斜している。第１の傾斜部２３と第１の傾斜部に隣接して形成される貯水部２２とで、洗浄槽底面２１のほぼ右半分が形成される。
【００５１】
第２の傾斜部３０は、図３に示すように洗浄槽底面１４の左側に形成され、第１の傾斜部２９以上の高さに形成され、第１の傾斜部２９および貯水部９に隣接している。第２の傾斜部３０は、平面視して、洗浄ノズルが回転した場合の略回転軌跡Ｂに沿って略半円状に形成されている（洗浄ノズル１３の軌跡から所定距離、例えば５ｍｍほど外側に離れた軌跡に沿っている略半円状のものでもよい）。また、第２の傾斜部３０は、貯水部方向に第１の傾斜角度より大きい角度Ｃで下方に傾斜している。
【００５２】
第３の傾斜部３１は、第２の傾斜部３０の周縁部の外側に、具体的には図３に示すように洗浄槽底面１４の奥左側および手前左側のコーナー部に形成されている。第３の傾斜部３１は、第２の傾斜部に向かって下方に傾斜している。また、第３の傾斜部３１は、第２の傾斜部３０に向かって第２の傾斜部３０の傾斜角度Ｃより大きな角度Ｄで傾斜させてある。
【００５３】
また、洗浄槽底面１４には、食器カゴ７を設置する複数のカゴ設置部３２とから構成されてある。
【００５４】
第１の傾斜部２９の上面にはステンレスなど金属からなるヒータ板（図示せず）が設けられ、加熱手段８はヒータ板上部の洗浄槽２側面に取り付けられてある。加熱手段８の上面および側面は加熱手段８を囲むようにステンレスなどの金属部品からなりパンチングなどにより開口部が設けられたヒータカバー（図示せず）が備え付けてある。
【００５５】
本実施例では、第１の傾斜部の幅Ｅ１よりも貯水部の幅Ｅ２の方が大きく、貯水部９の幅方向中央近傍に設けられた吸込み口１８は第１の傾斜部の中央より図面上で左側（洗浄槽中央側）にある。また、吸込み口１８は洗浄槽２の背面の底部近傍に設けられている。
【００５６】
以下に洗浄ポンプ１２の駆動中の洗浄水の流れを示す。洗浄ポンプ１２から圧送された洗浄水は、吐出経路１７を通り洗浄ノズル１３の複数の噴射孔１９から噴射される。洗浄ノズル１３は噴射応力によっても回転しながら洗浄水を噴射する。複数の噴射孔１９から
噴射された洗浄水は、食器６、食器カゴ７及び洗浄槽２の内壁などに衝突し洗浄槽底面１４に落下する。落下した洗浄水は、洗浄槽底面１４の傾斜に沿って貯水部９方向に流れこみ、残菜フィルタ１０、排水フィルタ１１を通り、貯水部９内の吸込み口１８から吸込まれ、吸込み経路１６を通り、洗浄ポンプ１２で圧送され、洗浄ノズル１２から噴射される。
【００５７】
洗浄槽底面１４に落下し洗浄ポンプ１２へ送られる洗浄水の流れを詳細に説明すると、第１の傾斜部２９、第２の傾斜部３０および第３の傾斜部３１に流れ込んだ洗浄水はそれぞれ第１の水流２９ａ、第２の水流３０ａ、および第３の流れ３１ａを形成し、貯水部９に流れ込む。
【００５８】
ここで第１の水流２９ａとは、第１の傾斜部２９の中央部から貯水部９に流れ込む水流を指す。第２の水流３０ａとは、第２の傾斜部３０上に流れ込んだ後に第２の傾斜部の最下点近傍から貯水部９に流れこむ水流を指す。
【００５９】
図７の貯水部９近傍の拡大図に示すように、第１の水流２９ａは、第１の傾斜部２９から貯水部９手前で中央部より右に偏った部分に、吸込み口１８に向かって流れ込むため、貯水部９平面視で中央部から見て反時計回りに流れ込む。一方、第２の水流３０ａは、貯水部９の左奥の角近傍から貯水部９内へ時計回りに流れ込む。そのため、第１及び第２の水流２９ａ、３０ａは、図８の貯水部９近傍の断面図に示すようにお互いが衝突して貯水部９内で渦を発生させないようにして、吸込み口１８から洗浄ポンプ１２へ流入する。
【００６０】
なお、本実施例の第２の傾斜部３０は、貯水部９との接点Ｆを最下点とする螺旋状の傾斜面で形成されている。また、図９に示すように洗浄ノズル１３を中心としてノズルの軌跡Ｂ略外周部を貯水部９に向かうに従って徐々に低くする螺旋状の傾斜面をなしても良い。この場合、洗浄ノズル１３から噴射され食器６に衝突し落下した洗浄水が、洗浄ノズル１３を中心とする円周方向に流れるため、第２の水流３０ａの流れ方向が同一方向に整流されやすく、貯水部９への洗浄水の戻りを早くすることが出来る。
【００６１】
なお、第２の傾斜部３０と第３の傾斜部３１との境界は滑らかな面で繋がっていることが望ましい。この場合、第３の水流３１ａが第３の傾斜部３１より傾斜角度の小さい第２の傾斜部３０に衝突することなく滑らかに第２の傾斜部３０に流れこむことができるため、より貯水部９への洗浄水の戻りを早くすることができる。
【００６２】
なお、カゴ設置部３２は第２の傾斜部３０に向かって傾斜していることが望ましい。この場合は、カゴ設置部３２上に流れ込んだ洗浄水が素早く第２の傾斜部３０に流れることができるため、より貯水部９への洗浄水の戻りを早くすることができる。
【００６３】
なお、本実施例では吸込み口１８は貯水部９の中央部に幅方向中央部に設けられてあるが、第１の傾斜部の中央より図３上で左側（洗浄漕中央側）にあれば、第１の水流２９ａと第２の水流３０ａが衝突し、より少ない洗浄水量で所定の洗浄性能を確保するという効果を実現することができる。
【００６４】
（実施の形態２）
図１０は本発明の実施の形態２の食器洗い機の平面図、図１１はその貯水部近傍の平面図、図１２は別の例の食器洗い機の平面図である。本実施の形態において、実施の形態１と同様の部分については同一符号を附し、その詳細な説明は省略する。
【００６５】
図１０において、また、洗浄槽底面１４には、第１、第２及び第３の傾斜部２９、３０、３１が形成されている。
【００６６】
第１の傾斜部２９は、加熱手段８を上面に備え、洗浄槽底面１４の手前右側に、洗浄槽２の奥行き方向を長手方向とする略矩形に形成されている。また、第１の傾斜部２９は貯水部９に向かって１度から２度の角度で傾斜している。第１の傾斜部２９上の右奥角には第１のリブ４１が形成されている。第１のリブ４１は、洗浄中の洗浄水位より上端が高い略三角柱状であり、洗浄槽２壁面側の貯水部９との隣接部近傍に洗浄槽２と一体で成型され設けられてある。
【００６７】
第２の傾斜部３０は、図１０に示すように洗浄槽底面１４の左側に形成され、第１の傾斜部２９以上の高さに形成され、第１の傾斜部２９および貯水部９に隣接している。第２の傾斜部３０は、平面視して、洗浄ノズル１３が回転した場合の略回転軌跡Ｂに沿って略半円状に形成されている（洗浄ノズル１３の軌跡から所定距離、例えば５ｍｍほど外側に離れた軌跡に沿っている略半円状のものでもよい）。また、第２の傾斜部３０は、貯水部９方向に第１の傾斜部２９の傾斜角度より大きい角度Ｃで下方に傾斜している。第２の傾斜部３０上には洗浄水位より上端が高い直方体状の第２のリブ４２が貯水部９との隣接部の洗浄槽２内側に洗浄槽２と一体で成型され設けられてある。
【００６８】
第３の傾斜部３１は、第２の傾斜部３０の周縁部の外側に、具体的には図１０に示すように洗浄槽底面１４の奥左側および手前左側のコーナー部に形成されている。第３の傾斜部３１は、第２の傾斜部３０に向かって下方に傾斜している。また、第３の傾斜部３１は、第２の傾斜部３０に向かって第２の傾斜部３０の傾斜角度Ｃより大きな角度Ｄで傾斜させてある。
【００６９】
また、洗浄槽底面１４には、食器カゴ７を設置する複数のカゴ設置部３２とから構成されてある。
【００７０】
第１の傾斜部２９の上面にはステンレスなど金属からなるヒータ板（図示せず）が設けられ、加熱手段８はヒータ板上部の洗浄槽２側面に取り付けられてある。加熱手段８の上面および側面は加熱手段８を囲むようにステンレスなどの金属部品からなりパンチングなどにより開口部が設けられたヒータカバー（図示せず）が備え付けてある。
本実施例では、第１の傾斜部２９の幅Ｅ１よりも貯水部９の幅Ｅ２の方が大きく、貯水部９の幅方向中央近傍に設けられた吸込み口１８は第１の傾斜部２９の中央より図面上で左側（洗浄槽中央側）にある。また、吸込み口１８は洗浄槽２の背面の底部近傍に設けられている。
【００７１】
以下に洗浄ポンプ１２の駆動中の洗浄水の流れを示す。洗浄ポンプ１２から圧送された洗浄水は、吐出経路１７を通り洗浄ノズル１３の複数の噴射孔１９から噴射される。洗浄ノズル１３は噴射応力によっても回転しながら洗浄水を噴射する。複数の噴射孔１９から噴射された洗浄水は、食器６や食器カゴ７、洗浄槽２の内壁に衝突し洗浄槽底面１４に落下する。落下した洗浄水は洗浄槽底面１４の傾斜に沿って貯水部９方向に流れこみ、残菜フィルタ１０、排水フィルタ１１を通り、貯水部９内の吸込み口１８から吸込まれ、吸込み経路１６を通り、洗浄ポンプ１２で圧送される。
【００７２】
洗浄槽２の内底面に落下し洗浄ポンプ１２へ送られる洗浄水の流れを詳細に説明すると、第１の傾斜部２９、第２の傾斜部３０および第３の傾斜部３１に流れ込んだ洗浄水はそれぞれ第１の水流２９ａ、第２の水流３０ａ、および第３の流れ３１ａを形成し、貯水部９に流れ込む。
【００７３】
ここで第１の水流２９ａとは、第１の傾斜部２９の中央部から貯水部９に流れ込む水流を指す。また、第２の水流３０ａとは、第２の傾斜部３０上に流れ込んだ後に第２の傾斜
部３０の最下点近傍から貯水部９に流れこむ水流を指す。貯水部９に流れ込む洗浄水は図７の貯水部９近傍の拡大図に示すように、第１の水流２９ａは第１の傾斜部２９から貯水部方向に流れるが、第１のリブ４１によって貯水部平面視で中央部から見て反時計回りに流れ込み、第２の水流３０ａは第２のリブ４２によって整流され貯水部９に時計回りに流れ込み、図１１の貯水部近傍の平面図に示すようにお互いが衝突して貯水部内で渦を発生させないようにして、吸込み口１８から洗浄ポンプ１２へ流入する。
【００７４】
なお、第１および第２のリブ４１、４２の高さは上端が洗浄水位以下でも、第１および第２の水流２９ａ、３０ａの方向を整流することができるものであればよい。
【００７５】
なお、本実施例では、第１のリブ４１で第１の水流２９ａを整流してあるが、洗浄槽２内側に傾斜した第４の傾斜部（図示せず）で整流してもよい。この場合、洗浄槽２の凹凸部が削減され、使用者が洗浄槽底面１４のお手入れ（拭き掃除など）をしやすくなる。
【００７６】
また、本実施例では第１のリブを第１の傾斜部２９の洗浄槽２壁面側に設けてあるが、図１２に示すように洗浄槽２の内側（第１の傾斜部２９の左奥角）に設けてもよい。この場合は貯水部９に隣接する洗浄槽２壁に洗浄水が衝突して同様な第１の水流２９ａを発生する事ができる。
【００７７】
また、本実施例では第１のリブ４１を略三角形状、第２のリブ４２を線状としてあるが、いずれも直方体状、略三角柱状、立方体柱状等でもよい。
【産業上の利用可能性】
【００７８】
本発明の食器設置具は、少ない水量で所定の洗浄性能を得ることができるので、食器洗い機として有用である。
【符号の説明】
【００７９】
１  食器洗浄機本体
２  洗浄槽
３  両固定レール
４  両可動レール
５  スライドレール
６  食器（被洗浄物）
７  食器かご
８  加熱手段
９  貯水部
１０  残さいフィルタ
１１  排水フィルタ
１２  洗浄ポンプ
１３  洗浄ノズル（洗浄手段）
１４  洗浄槽底面
１５  循環経路
１６  吸込み経路
１７  吐出経路温度
１８  吸込み口
１９  複数の噴射孔
２０  給水弁
２１  排水手段
２２  送風手段
２３  排気口
２４  検知手段
２６  制御装置
２７  中フタ
２８  パッキン
２９  第１の傾斜部
３０  第２の傾斜部
３１  第３の傾斜部
３２  かご設置部
４１  第１のリブ
４２  第２のリブ
【図１】
2011036527.tif 000003
【図２】
2011036527.tif 000004
【図３】
2011036527.tif 000005
【図４】
2011036527.tif 000006
【図５】
2011036527.tif 000007
【図６】
2011036527.tif 000008
【図７】
2011036527.tif 000009
【図８】
2011036527.tif 000010
【図９】
2011036527.tif 000011
【図１０】
2011036527.tif 000012
【図１１】
2011036527.tif 000013
【図１２】
2011036527.tif 000014
【図１３】
2011036527.tif 000015
【図１４】
2011036527.tif 000016
【図１５】
2011036527.tif 000017
【図１６】
2011036527.tif 000018